(57)【要約】  【課題】微小な輝度変化により生じる偽輪郭を低減することができる映像信号処理回路、プラズマ表示装置、及び、偽輪郭低減方法を提供すること。  【解決手段】映像信号処理回路（１）は、表示部（６）の１フレーム分の画素に映像を表示するための表示用階調レベルを表す映像信号を入力し、前記映像信号の対象画素に対する前記表示用階調レベルが、偽輪郭が発生する階調レベルを表す領域に含まれるとき、検出結果を出力する検出回路（９）と、前記映像信号と前記検出結果を入力し、前記検出結果に基づいて、前記映像信号の前記対象画素に対する前記表示用階調レベルを、前記偽輪郭が発生しない擬似表示用階調レベルに代えて、前記映像信号を前記表示部（６）に出力する信号出力回路（１０）とを具備している。  【選択図】図４
2006039172.tif 000002
【特許請求の範囲】
【請求項１】
表示部の１フレーム分の画素に映像を表示するための表示用階調レベルを表す映像信号を入力し、前記映像信号の対象画素に対する前記表示用階調レベルが、偽輪郭が発生する階調レベルを表す領域に含まれるとき、検出結果を出力する検出回路と、
前記映像信号と前記検出結果を入力し、前記検出結果に基づいて、前記映像信号の前記対象画素に対する前記表示用階調レベルを、前記偽輪郭が発生しない擬似表示用階調レベルに代えて、前記映像信号を前記表示部に出力する信号出力回路と
を具備する映像信号処理回路。
【請求項２】
請求項１に記載された映像信号処理回路において、
前記検出回路は、
前記映像信号を入力し、前記映像信号の前記対象画素に対する前記表示用階調レベルが、前記偽輪郭が発生する可能性がある階調レベルを表す候補領域に含まれるとき、領域検出信号を出力する領域検出回路と、
前記映像信号を入力し、前記映像信号の前記対象画素に対する前記表示用階調レベルが、前記候補領域のうちの発生候補領域に含まれるとき、方向検出信号を出力する方向検出回路と、
前記領域検出信号と前記方向検出信号とを１フレーム分遅延させる遅延回路と、
前記領域検出信号と前記遅延された領域検出信号とを受け付け、且つ、前記方向検出信号と前記遅延された方向検出信号との一方を受け付けたとき、偽輪郭発生検出信号を前記検出結果として出力する偽輪郭検出回路とを具備し、
前記信号出力回路は、前記映像信号を入力し、前記偽輪郭発生検出信号を受け付けたとき、前記映像信号の前記対象画素に対する前記表示用階調レベルを前記擬似表示用階調レベルに代えて、前記映像信号を前記表示部に出力する
映像信号処理回路。
【請求項３】
請求項１に記載された映像信号処理回路において、
前記検出回路は、
前記映像信号を入力し、前記映像信号の前記対象画素に対する前記表示用階調レベルが、前記偽輪郭が発生する可能性がある階調レベルを表す候補領域に含まれるとき、領域検出信号を出力する領域検出回路と、
前記領域検出信号を１フレーム分遅延させる遅延回路と、
前記領域検出信号と前記遅延された領域検出信号とを受け付けたとき、偽輪郭発生検出信号を前記検出結果として出力する偽輪郭検出回路とを具備し、
前記信号出力回路は、前記映像信号を入力し、前記偽輪郭発生検出信号を受け付けたとき、前記映像信号の前記対象画素に対する前記表示用階調レベルを前記擬似表示用階調レベルに代えて、前記映像信号を前記表示部に出力する
映像信号処理回路。
【請求項４】
請求項２又は３に記載された映像信号処理回路において、
前記信号出力回路は、
前記映像信号を入力し、前記対象画素と前記対象画素の周辺の周辺画素とを含む画素群に対して前記偽輪郭発生検出信号を受け付けた場合、前記映像信号の前記画素群に対する前記表示用階調レベルを前記擬似表示用階調レベルに代える拡散処理を行なう拡散処理部と、
前記拡散処理が行われた前記映像信号を前記表示部に出力する出力部とを具備し、
前記拡散処理が行われた前記画素群に対する前記擬似表示用階調レベルの平均値と、前記拡散処理が行われる前の前記画素群に対する前記表示用階調レベルの平均値とは、同じである
映像信号処理回路。
【請求項５】
請求項４に記載された映像信号処理回路において、
前記拡散処理部は、前記画素群のうちの第１画素群に対する前記表示用階調レベルを、前記擬似表示用階調レベルとして第１擬似表示用階調レベルに代え、前記画素群のうち、前記第１画素群以外の第２画素群に対する前記表示用階調レベルを、前記擬似表示用階調レベルとして第２擬似表示用階調レベルに代え、
前記第１擬似表示用階調レベルは、前記表示用階調レベルよりも小さく、
前記第２擬似表示用階調レベルは、前記表示用階調レベルよりも大きい
映像信号処理回路。
【請求項６】
映像信号処理回路と、
前記映像信号処理回路に接続された表示部とを具備し、
前記映像信号処理回路は、
前記表示部の１フレーム分の画素に映像を表示するための表示用階調レベルを表す映像信号を入力し、前記映像信号の対象画素に対する前記表示用階調レベルが、偽輪郭が発生する階調レベルを表す領域に含まれるとき、検出結果を出力する検出回路と、
前記映像信号と前記検出結果を入力し、前記検出結果に基づいて、前記映像信号の前記対象画素に対する前記表示用階調レベルを、前記偽輪郭が発生しない擬似表示用階調レベルに代えて、前記映像信号を前記表示部に出力する信号出力回路と
を具備する表示装置。
【請求項７】
請求項６に記載された表示装置において、
前記検出回路は、
前記映像信号を入力し、前記映像信号の前記対象画素に対する前記表示用階調レベルが、前記偽輪郭が発生する可能性がある階調レベルを表す候補領域に含まれるとき、領域検出信号を出力する領域検出回路と、
前記映像信号を入力し、前記映像信号の前記対象画素に対する前記表示用階調レベルが、前記候補領域のうちの発生候補領域に含まれるとき、方向検出信号を出力する方向検出回路と、
前記領域検出信号と前記方向検出信号とを１フレーム分遅延させる遅延回路と、
前記領域検出信号と前記遅延された領域検出信号とを受け付け、且つ、前記方向検出信号と前記遅延された方向検出信号との一方を受け付けたとき、偽輪郭発生検出信号を前記検出結果として出力する偽輪郭検出回路とを具備し、
前記信号出力回路は、前記映像信号を入力し、前記偽輪郭発生検出信号を受け付けたとき、前記映像信号の前記対象画素に対する前記表示用階調レベルを前記擬似表示用階調レベルに代えて、前記映像信号を前記表示部に出力する
表示装置。
【請求項８】
請求項６に記載された表示装置において、
前記検出回路は、
前記映像信号を入力し、前記映像信号の前記対象画素に対する前記表示用階調レベルが、前記偽輪郭が発生する可能性がある階調レベルを表す候補領域に含まれるとき、領域検出信号を出力する領域検出回路と、
前記領域検出信号を１フレーム分遅延させる遅延回路と、
前記領域検出信号と前記遅延された領域検出信号とを受け付けたとき、偽輪郭発生検出信号を前記検出結果として出力する偽輪郭検出回路とを具備し、
前記信号出力回路は、前記映像信号を入力し、前記偽輪郭発生検出信号を受け付けたとき、前記映像信号の前記対象画素に対する前記表示用階調レベルを前記擬似表示用階調レベルに代えて、前記映像信号を前記表示部に出力する
表示装置。
【請求項９】
請求項７又は８に記載された表示装置において、
前記信号出力回路は、
前記映像信号を入力し、前記対象画素と前記対象画素の周辺の周辺画素とを含む画素群に対して前記偽輪郭発生検出信号を受け付けた場合、前記映像信号の前記画素群に対する前記表示用階調レベルを前記擬似表示用階調レベルに代える拡散処理を行なう拡散処理部と、
前記拡散処理が行われた前記映像信号を前記表示部に出力する出力部とを具備し、
前記拡散処理が行われた前記画素群に対する前記擬似表示用階調レベルの平均値と、前記拡散処理が行われる前の前記画素群に対する前記表示用階調レベルの平均値とは、同じである
表示装置。
【請求項１０】
請求項９に記載された表示装置において、
前記拡散処理部は、前記画素群のうちの第１画素群に対する前記表示用階調レベルを、前記擬似表示用階調レベルとして第１擬似表示用階調レベルに代え、前記画素群のうち、前記第１画素群以外の第２画素群に対する前記表示用階調レベルを、前記擬似表示用階調レベルとして第２擬似表示用階調レベルに代え、
前記第１擬似表示用階調レベルは、前記表示用階調レベルよりも小さく、
前記第２擬似表示用階調レベルは、前記表示用階調レベルよりも大きい
表示装置。
【請求項１１】
表示部の１フレーム分の画素に映像を表示するための表示用階調レベルを表す映像信号を入力し、前記映像信号の対象画素に対する前記表示用階調レベルが、偽輪郭が発生する階調レベルを表す領域に含まれるとき、検出結果を出力するステップと、
前記映像信号と前記検出結果を入力し、前記検出結果に基づいて、前記映像信号の前記対象画素に対する前記表示用階調レベルを、前記偽輪郭が発生しない擬似表示用階調レベルに代えて、前記映像信号を前記表示部に出力するステップと
を含む偽輪郭低減方法。
【請求項１２】
請求項１１に記載された偽輪郭低減方法において、
前記検出結果を出力するステップは、
前記映像信号を入力し、前記映像信号の前記対象画素に対する前記表示用階調レベルが、前記偽輪郭が発生する可能性がある階調レベルを表す候補領域に含まれるとき、領域検出信号を出力するステップと、
前記映像信号を入力し、前記映像信号の前記対象画素に対する前記表示用階調レベルが、前記候補領域のうちの発生候補領域に含まれるとき、方向検出信号を出力するステップと、
前記領域検出信号と前記方向検出信号とを１フレーム分遅延させるステップと、
前記領域検出信号と前記遅延された領域検出信号とを受け付け、且つ、前記方向検出信号と前記遅延された方向検出信号との一方を受け付けたとき、偽輪郭発生検出信号を前記検出結果として出力するステップとを含み、
前記表示部に出力するステップは、
前記映像信号を入力し、前記偽輪郭発生検出信号を受け付けたとき、前記映像信号の前記対象画素に対する前記表示用階調レベルを前記擬似表示用階調レベルに代えて、前記映像信号を前記表示部に出力するステップ
を含む偽輪郭低減方法。
【請求項１３】
請求項１１に記載された偽輪郭低減方法において、
前記検出結果を出力するステップは、
前記映像信号を入力し、前記映像信号の前記対象画素に対する前記表示用階調レベルが、前記偽輪郭が発生する可能性がある階調レベルを表す候補領域に含まれるとき、領域検出信号を出力するステップと、
前記領域検出信号を１フレーム分遅延させるステップと、
前記領域検出信号と前記遅延された領域検出信号とを受け付けたとき、偽輪郭発生検出信号を前記検出結果として出力するとを含み、
前記表示部に出力するステップは、
前記映像信号を入力し、前記偽輪郭発生検出信号を受け付けたとき、前記映像信号の前記対象画素に対する前記表示用階調レベルを前記擬似表示用階調レベルに代えて、前記映像信号を前記表示部に出力するステップ
を含む偽輪郭低減方法。
【請求項１４】
請求項１２又は１３に記載された偽輪郭低減方法において、
前記表示部に出力するステップは、
前記映像信号を入力し、前記対象画素と前記対象画素の周辺の周辺画素とを含む画素群に対して前記偽輪郭発生検出信号を受け付けた場合、前記映像信号の前記画素群に対する前記表示用階調レベルを前記擬似表示用階調レベルに代える拡散処理を行なうステップと、
前記拡散処理が行われた前記映像信号を前記表示部に出力するステップとを含み、
前記拡散処理が行われた前記画素群に対する前記擬似表示用階調レベルの平均値と、前記拡散処理が行われる前の前記画素群に対する前記表示用階調レベルの平均値とは、同じである
偽輪郭低減方法。
【請求項１５】
請求項１４に記載された偽輪郭低減方法において、
前記拡散処理を行なうステップは、前記画素群のうちの第１画素群に対する前記表示用階調レベルを、前記擬似表示用階調レベルとして第１擬似表示用階調レベルに代え、前記画素群のうち、前記第１画素群以外の第２画素群に対する前記表示用階調レベルを、前記擬似表示用階調レベルとして第２擬似表示用階調レベルに代えるステップを含み、
前記第１擬似表示用階調レベルは、前記表示用階調レベルよりも小さく、
前記第２擬似表示用階調レベルは、前記表示用階調レベルよりも大きい
偽輪郭低減方法。
【発明の詳細な説明】
【技術分野】
【０００１】
本発明は、映像信号をプラズマディスプレイに表示する映像信号処理回路、プラズマ表示装置、及び、偽輪郭低減方法に関する。
【背景技術】
【０００２】
プラズマディスプレイに映像信号を表示する方法として、サブフィールド法が知られている。サブフィールド法は、サブフィールドを用いて映像を階調表示するものである。１フィールドは、例えば、輝度の重み付けの小さい順に１番目からＮ番目までのＮ個のサブフィールドで構成されている。第１サブフィールド、第２サブフィールド、…、第Ｎサブフィールドの輝度の重みの比は、それぞれ２０、２１、…、２Ｎ−１である。以下、Ｎを８として説明を行なう。この場合、１フィールドは、８個のサブフィールドで構成され、第１サブフィールド、第２サブフィールド、…、第８サブフィールドの輝度の重みの比は、それぞれ２０、２１、…、２７である。即ち、第１サブフィールド、第２サブフィールド、…、第８サブフィールドには、発光回数の比（発光期間の比）として、階調レベル“１”、“２”、…、“１２８”が設定され、８個のサブフィールドにより２５６階調の表示を行なうことができる。８個のサブフィールドに階調レベルが設定されていない場合、対象とする対象画素に映像を表示するための階調レベルは、０を表す。８個のサブフィールドのいずれか１つに階調レベルが設定されている場合、対象画素に映像を表示するための階調レベルは、１〜２５５の範囲を表す。
【０００３】
プラズマディスプレイに動画像が表示された場合、偽輪郭が発生するという現象がある。偽輪郭は、８個のサブフィールドの発光期間の比と、視覚の特性との兼ね合いによるもので、本来表示すべき色と異なる色が縞状となって見られる現象である。プラズマディスプレイに静止画像が表示された場合、偽輪郭は感じられない。
【０００４】
図１を用いて、対象画素の階調レベル“１２７”が、１フレーム後に“１２８”に変化したときに発生する偽輪郭について説明する。いま、対象画素の階調レベルは、第１フレーム（第１同期期間）において、８個のサブフィールドのうちの第１〜第７サブフィールドの発光期間によって階調レベル“１２７”で表され、第１フレーム後の第２フレーム（第２同期期間）において、第１〜第７サブフィールドの発光期間によって階調レベル“１２７”で表され、第２フレーム後の第３フレーム（第３同期期間）において、第８サブフィールドの発光期間によって階調レベル“１２８”で表されているものとする。視覚によって認識される輝度（認識輝度）は、発光期間に比例して高くなる。第１フレームから第２フレームに切り替わった場合、第１フレームにおける第８サブフィールドが無発光期間であるため、第２フレームにおける認識輝度は、図１のａに示されるように低下するが、この認識輝度の低下は無視できる程度である。しかし、第２フレームから第３フレームに切り替わった場合、第２フレームにおける第８サブフィールドから、第３フレームにおける第７サブフィールドまでが無発光期間である。このため、図１のｂに示されるように、第２フレームにおける第８サブフィールドから、第３フレームにおける第７サブフィールドまでの期間に対応して、第３フレームにおける認識輝度は低下する。この場合、認識輝度の微小な低下により偽輪郭を感じてしまう。
【０００５】
図２を用いて、対象画素の階調レベル“１２８”が、１フレーム後に“１２７”に変化したときに発生する偽輪郭について説明する。いま、対象画素の階調レベルは、第１フレーム（第１同期期間）において、８個のサブフィールドのうちの第８サブフィールドの発光期間によって階調レベル“１２８”で表され、第１フレーム後の第２フレーム（第２同期期間）において、第１〜第７サブフィールドの発光期間によって階調レベル“１２７”で表され、第２フレーム後の第３フレーム（第３同期期間）において、第１〜第７サブフィールドの発光期間によって階調レベル“１２７”で表されているものとする。第１フレームから第２フレームに切り替わった場合、第１フレームにおける第８サブフィールドから、第２フレームにおける第１サブフィールドまでの無発光期間が短いため、階調レベルが“１２８”よりも低い“１２７”であるにも関わらず、第２フレームにおける認識輝度は、第１フレームにおける認識輝度よりも上昇する。第２フレームから第３フレームに切り替わった場合、第２フレームにおける認識輝度が高いため、階調レベルが同一の“１２７”であるにも関わらず、第３フレームにおける認識輝度は、図１のａに示されるように第２フレームにおける認識輝度よりも低下する。この場合、認識輝度の微小な上昇により偽輪郭を感じてしまう。
【０００６】
図３を用いて、対象画素の階調レベル“１２７”が、１フレーム後に“１２９”に変化したときに発生する偽輪郭について説明する。いま、対象画素の階調レベルは、第１フレーム（第１同期期間）において、８個のサブフィールドのうちの第１〜第７サブフィールドの発光期間によって階調レベル“１２７”で表され、第１フレーム後の第２フレーム（第２同期期間）において、第１〜第７サブフィールドの発光期間によって階調レベル“１２７”で表され、第２フレーム後の第３フレーム（第３同期期間）において、第１及び第８サブフィールドの発光期間によって階調レベル“１２９”で表されているものとする。第１フレームから第２フレームに切り替わった場合、第１フレームにおける第８サブフィールドが無発光期間であるため、第２フレームにおける認識輝度は、図３のａに示されるように僅かに低下するが、この認識輝度の低下は無視できる程度である。しかし、第２フレームから第３フレームに切り替わった場合、第２フレームにおける第８サブフィールドの無発光期間と、第３フレームにおける第２〜第７サブフィールドの無発光期間とを足し合わせた無発光期間は、第３フレームにおける第１サブフィールド（図３のｃ）の発光期間よりも大幅に長い。このため、図３のｂに示されるように、第２フレームにおける第８サブフィールドから、第３フレームにおける第７サブフィールドまでの期間に対応して、第３フレームにおける認識輝度は低下する。この場合、認識輝度の微小な低下により偽輪郭を感じてしまう。
【０００７】
動きベクトル検出では、このような微小な輝度変化により生じる偽輪郭を低減することが困難である。ここで、動きベクトル検出が記載された文献を紹介する。
【０００８】
特許文献１に記載された動ベクトル検出方法では、現フィールド画像と前フィールド画像の画素レベルに応じて各々に識別コードを付与し、現フィールドの識別コード画像を複数の検出ブロックに分割し、検出ブロック毎に前フィールドの識別コード画像内に参照領域を設定し、参照領域内に複数設定した参照ブロックと検出ブロックとの一致度を識別コードに基づいて評価し、評価値の最も高い参照ブロックと前記検出ブロックとの位置関係から動きベクトルを検出することを特徴としている。
特許文献２に記載されたディスプレイ装置の中間調表示方法では、注目するフィールドの表示データと、少なくとも１つ以上前のフィールドの表示データとを比較して、画像の動きベクトルを検出する第１のステップと、上記検出された画像の動きベクトルより、視覚に感知されるべき表示データを算出する第２のステップと、上記注目するフィールドの表示データが前記視覚に感知されるべき表示データに一致もしくは近似するように、前記注目するフィールドの表示データを補正する第３のステップとを備えたことを特徴としている。
【０００９】
【特許文献１】特開平１１−２３１８３２号公報
【特許文献２】特開２０００−８９７１１号公報
【発明の開示】
【発明が解決しようとする課題】
【００１０】
本発明の課題は、微小な輝度変化により生じる偽輪郭を低減することができる映像信号処理回路、プラズマ表示装置、及び、偽輪郭低減方法を提供することにある。
【課題を解決するための手段】
【００１１】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１２】
本発明の第１観点では、映像信号処理回路（１）は、表示部（６）の１フレーム分の画素に映像を表示するための表示用階調レベル（Ｘ）を表す映像信号を入力し、前記映像信号の対象画素に対する前記表示用階調レベル（Ｘ）が、偽輪郭が発生する階調レベルを表す領域に含まれるとき、検出結果を出力する検出回路（９）と、前記映像信号と前記検出結果を入力し、前記検出結果に基づいて、前記映像信号の前記対象画素に対する前記表示用階調レベル（Ｘ）を、前記偽輪郭が発生しない擬似表示用階調レベル（Ｙ）に代えて、前記映像信号を前記表示部（６）に出力する信号出力回路（１０）とを具備している。
【００１３】
本発明の映像信号処理回路（１）において、前記検出回路（９）は、前記映像信号を入力し、前記映像信号の前記対象画素に対する前記表示用階調レベル（Ｘ）が、前記偽輪郭が発生する可能性がある階調レベルを表す候補領域（Ｌ１１−１）に含まれるとき、領域検出信号（Ｃ−１“Ｈｉ”）を出力する領域検出回路（１１）と、前記映像信号を入力し、前記映像信号の前記対象画素に対する前記表示用階調レベル（Ｘ）が、前記候補領域（Ｌ１１−１）のうちの発生候補領域（Ｌ１２−１）に含まれるとき、方向検出信号（Ｄ−１“Ｈｉ”）を出力する方向検出回路（１２）と、前記領域検出信号（Ｃ−１“Ｈｉ”）と前記方向検出信号（Ｄ−１“Ｈｉ”）とを１フレーム分遅延させる遅延回路（１４）と、前記領域検出信号（Ｃ−１“Ｈｉ”）と前記遅延された領域検出信号（Ａ−１“Ｈｉ”）とを受け付け、且つ、前記方向検出信号（Ｄ−１“Ｈｉ”）と前記遅延された方向検出信号（Ｂ−１“Ｈｉ”）との一方を受け付けたとき、偽輪郭発生検出信号（Ｇ−１“Ｈｉ”）（Ｇ−１“Ｌｏ”）を前記検出結果として出力する偽輪郭検出回路（１３）とを具備している。前記信号出力回路（１０）は、前記映像信号を入力し、前記偽輪郭発生検出信号（Ｇ−１“Ｈｉ”）（Ｇ−１“Ｌｏ”）を受け付けたとき、前記映像信号の前記対象画素に対する前記表示用階調レベル（Ｘ）を前記擬似表示用階調レベル（Ｙ）に代えて、前記映像信号を前記表示部（６）に出力する。
【００１４】
本発明の映像信号処理回路（１）において、前記検出回路（９）は、前記映像信号を入力し、前記映像信号の前記対象画素に対する前記表示用階調レベル（Ｘ）が、前記偽輪郭が発生する可能性がある階調レベルを表す候補領域（Ｌ１１−１）に含まれるとき、領域検出信号（Ｃ−１“Ｈｉ”）を出力する領域検出回路（１１）と、前記領域検出信号（Ｃ−１“Ｈｉ”）を１フレーム分遅延させる遅延回路（１４）と、前記領域検出信号（Ｃ−１“Ｈｉ”）と前記遅延された領域検出信号（Ａ−１“Ｈｉ”）とを受け付けたとき、偽輪郭発生検出信号（Ｇ−１“Ｈｉ”）（Ｇ−１“Ｌｏ”）を前記検出結果として出力する偽輪郭検出回路（１３）とを具備している。前記信号出力回路（１０）は、前記映像信号を入力し、前記偽輪郭発生検出信号（Ｇ−１“Ｈｉ”）（Ｇ−１“Ｌｏ”）を受け付けたとき、前記映像信号の前記対象画素に対する前記表示用階調レベル（Ｘ）を前記擬似表示用階調レベル（Ｙ）に代えて、前記映像信号を前記表示部（６）に出力する。
【００１５】
本発明の映像信号処理回路（１）において、前記信号出力回路（１０）は、前記映像信号を入力し、前記対象画素と前記対象画素の周辺の周辺画素とを含む画素群に対して前記偽輪郭発生検出信号（Ｇ−１“Ｈｉ”）（Ｇ−１“Ｌｏ”）を受け付けた場合、前記映像信号の前記画素群に対する前記表示用階調レベル（Ｘ）を前記擬似表示用階調レベル（Ｙ）に代える拡散処理を行なう拡散処理部（１６）と、前記拡散処理が行われた前記映像信号を前記表示部（６）に出力する出力部（１７）とを具備している。前記拡散処理が行われた前記画素群に対する前記擬似表示用階調レベル（Ｙ）の平均値と、前記拡散処理が行われる前の前記画素群に対する前記表示用階調レベル（Ｘ）の平均値とは、同じである。
【００１６】
本発明の映像信号処理回路（１）において、前記拡散処理部（１６）は、前記画素群のうちの第１画素群に対する前記表示用階調レベル（Ｘ）を、前記擬似表示用階調レベル（Ｙ）として第１擬似表示用階調レベル（Ｙ）に代え、前記画素群のうち、前記第１画素群以外の第２画素群に対する前記表示用階調レベル（Ｘ）を、前記擬似表示用階調レベル（Ｙ）として第２擬似表示用階調レベル（Ｙ）に代える。前記第１擬似表示用階調レベル（Ｙ）は、前記表示用階調レベル（Ｘ）よりも小さく、前記第２擬似表示用階調レベル（Ｙ）は、前記表示用階調レベル（Ｘ）よりも大きい。
【００１７】
本発明の第２観点では、表示装置は、映像信号処理回路（１）と、前記映像信号処理回路（１）に接続された表示部（６）とを具備している。前記映像信号処理回路（１）は、前記表示部（６）の１フレーム分の画素に映像を表示するための表示用階調レベル（Ｘ）を表す映像信号を入力し、前記映像信号の対象画素に対する前記表示用階調レベル（Ｘ）が、偽輪郭が発生する階調レベルを表す領域に含まれるとき、検出結果を出力する検出回路（９）と、前記映像信号と前記検出結果を入力し、前記検出結果に基づいて、前記映像信号の前記対象画素に対する前記表示用階調レベル（Ｘ）を、前記偽輪郭が発生しない擬似表示用階調レベル（Ｙ）に代えて、前記映像信号を前記表示部（６）に出力する信号出力回路（１０）とを具備している。
【００１８】
本発明の表示装置において、前記検出回路（９）は、前記映像信号を入力し、前記映像信号の前記対象画素に対する前記表示用階調レベル（Ｘ）が、前記偽輪郭が発生する可能性がある階調レベルを表す候補領域（Ｌ１１−１）に含まれるとき、領域検出信号（Ｃ−１“Ｈｉ”）を出力する領域検出回路（１１）と、前記映像信号を入力し、前記映像信号の前記対象画素に対する前記表示用階調レベル（Ｘ）が、前記候補領域（Ｌ１１−１）のうちの発生候補領域（Ｌ１２−１）に含まれるとき、方向検出信号（Ｄ−１“Ｈｉ”）を出力する方向検出回路（１２）と、前記領域検出信号（Ｃ−１“Ｈｉ”）と前記方向検出信号（Ｄ−１“Ｈｉ”）とを１フレーム分遅延させる遅延回路（１４）と、前記領域検出信号（Ｃ−１“Ｈｉ”）と前記遅延された領域検出信号（Ａ−１“Ｈｉ”）とを受け付け、且つ、前記方向検出信号（Ｄ−１“Ｈｉ”）と前記遅延された方向検出信号（Ｂ−１“Ｈｉ”）との一方を受け付けたとき、偽輪郭発生検出信号（Ｇ−１“Ｈｉ”）（Ｇ−１“Ｌｏ”）を前記検出結果として出力する偽輪郭検出回路（１３）とを具備している。前記信号出力回路（１０）は、前記映像信号を入力し、前記偽輪郭発生検出信号（Ｇ−１“Ｈｉ”）（Ｇ−１“Ｌｏ”）を受け付けたとき、前記映像信号の前記対象画素に対する前記表示用階調レベル（Ｘ）を前記擬似表示用階調レベル（Ｙ）に代えて、前記映像信号を前記表示部（６）に出力する。
【００１９】
本発明の表示装置において、前記検出回路（９）は、前記映像信号を入力し、前記映像信号の前記対象画素に対する前記表示用階調レベル（Ｘ）が、前記偽輪郭が発生する可能性がある階調レベルを表す候補領域（Ｌ１１−１）に含まれるとき、領域検出信号（Ｃ−１“Ｈｉ”）を出力する領域検出回路（１１）と、前記領域検出信号（Ｃ−１“Ｈｉ”）を１フレーム分遅延させる遅延回路（１４）と、前記領域検出信号（Ｃ−１“Ｈｉ”）と前記遅延された領域検出信号（Ａ−１“Ｈｉ”）とを受け付けたとき、偽輪郭発生検出信号（Ｇ−１“Ｈｉ”）（Ｇ−１“Ｌｏ”）を前記検出結果として出力する偽輪郭検出回路（１３）とを具備している。前記信号出力回路（１０）は、前記映像信号を入力し、前記偽輪郭発生検出信号（Ｇ−１“Ｈｉ”）（Ｇ−１“Ｌｏ”）を受け付けたとき、前記映像信号の前記対象画素に対する前記表示用階調レベル（Ｘ）を前記擬似表示用階調レベル（Ｙ）に代えて、前記映像信号を前記表示部（６）に出力する。
【００２０】
本発明の表示装置において、前記信号出力回路（１０）は、前記映像信号を入力し、前記対象画素と前記対象画素の周辺の周辺画素とを含む画素群に対して前記偽輪郭発生検出信号（Ｇ−１“Ｈｉ”）（Ｇ−１“Ｌｏ”）を受け付けた場合、前記映像信号の前記画素群に対する前記表示用階調レベル（Ｘ）を前記擬似表示用階調レベル（Ｙ）に代える拡散処理を行なう拡散処理部（１６）と、前記拡散処理が行われた前記映像信号を前記表示部（６）に出力する出力部（１７）とを具備している。前記拡散処理が行われた前記画素群に対する前記擬似表示用階調レベル（Ｙ）の平均値と、前記拡散処理が行われる前の前記画素群に対する前記表示用階調レベル（Ｘ）の平均値とは、同じである。
【００２１】
本発明の表示装置において、前記拡散処理部（１６）は、前記画素群のうちの第１画素群に対する前記表示用階調レベル（Ｘ）を、前記擬似表示用階調レベル（Ｙ）として第１擬似表示用階調レベル（Ｙ）に代え、前記画素群のうち、前記第１画素群以外の第２画素群に対する前記表示用階調レベル（Ｘ）を、前記擬似表示用階調レベル（Ｙ）として第２擬似表示用階調レベル（Ｙ）に代える。前記第１擬似表示用階調レベル（Ｙ）は、前記表示用階調レベル（Ｘ）よりも小さく、前記第２擬似表示用階調レベル（Ｙ）は、前記表示用階調レベル（Ｘ）よりも大きい。
【００２２】
本発明の第３観点では、偽輪郭低減方法は、表示部（６）の１フレーム分の画素に映像を表示するための表示用階調レベル（Ｘ）を表す映像信号を入力し、前記映像信号の対象画素に対する前記表示用階調レベル（Ｘ）が、偽輪郭が発生する階調レベルを表す領域に含まれるとき、検出結果を出力するステップと、前記映像信号と前記検出結果を入力し、前記検出結果に基づいて、前記映像信号の前記対象画素に対する前記表示用階調レベル（Ｘ）を、前記偽輪郭が発生しない擬似表示用階調レベル（Ｙ）に代えて、前記映像信号を前記表示部（６）に出力するステップとを含んでいる。
【００２３】
本発明の偽輪郭低減方法において、前記検出結果を出力するステップは、前記映像信号を入力し、前記映像信号の前記対象画素に対する前記表示用階調レベル（Ｘ）が、前記偽輪郭が発生する可能性がある階調レベルを表す候補領域（Ｌ１１−１）に含まれるとき、領域検出信号（Ｃ−１“Ｈｉ”）を出力するステップ（Ｓ１〜Ｓ４）と、前記映像信号を入力し、前記映像信号の前記対象画素に対する前記表示用階調レベル（Ｘ）が、前記候補領域（Ｌ１１−１）のうちの発生候補領域（Ｌ１２−１）に含まれるとき、方向検出信号（Ｄ−１“Ｈｉ”）を出力するステップ（Ｓ１１〜Ｓ１４）と、前記領域検出信号（Ｃ−１“Ｈｉ”）と前記方向検出信号（Ｄ−１“Ｈｉ”）とを１フレーム分遅延させるステップ（Ｓ２１〜Ｓ２３、Ｓ３１〜Ｓ３３）と、前記領域検出信号（Ｃ−１“Ｈｉ”）と前記遅延された領域検出信号（Ａ−１“Ｈｉ”）とを受け付け、且つ、前記方向検出信号（Ｄ−１“Ｈｉ”）と前記遅延された方向検出信号（Ｂ−１“Ｈｉ”）との一方を受け付けたとき、偽輪郭発生検出信号（Ｇ−１“Ｈｉ／Ｌｏ”）（Ｅ−１）を前記検出結果として出力するステップ（Ｓ４１〜Ｓ４７）とを含んでいる。前記表示部（６）に出力するステップは、前記映像信号を入力し、前記偽輪郭発生検出信号（Ｇ−１“Ｈｉ／Ｌｏ”）（Ｅ−１）を受け付けたとき、前記映像信号の前記対象画素に対する前記表示用階調レベル（Ｘ）を前記擬似表示用階調レベル（Ｙ）に代えて、前記映像信号を前記表示部（６）に出力するステップ（Ｓ５１〜Ｓ５５）を含んでいる。
【００２４】
本発明の偽輪郭低減方法において、前記検出結果を出力するステップは、前記映像信号を入力し、前記映像信号の前記対象画素に対する前記表示用階調レベル（Ｘ）が、前記偽輪郭が発生する可能性がある階調レベルを表す候補領域（Ｌ１１−１）に含まれるとき、領域検出信号（Ｃ−１“Ｈｉ”）を出力するステップ（Ｓ１〜Ｓ４）と、前記領域検出信号（Ｃ−１“Ｈｉ”）を１フレーム分遅延させるステップ（Ｓ２１〜Ｓ２３）と、前記領域検出信号（Ｃ−１“Ｈｉ”）と前記遅延された領域検出信号（Ａ−１“Ｈｉ”）とを受け付けたとき、偽輪郭発生検出信号（Ｇ−１“Ｈｉ／Ｌｏ”）（Ｅ−１）を前記検出結果として出力するステップ（Ｓ４１、Ｓ４２、Ｓ４４、Ｓ４７）とを含んでいる。前記表示部（６）に出力するステップは、前記映像信号を入力し、前記偽輪郭発生検出信号（Ｇ−１“Ｈｉ／Ｌｏ”）（Ｅ−１）を受け付けたとき、前記映像信号の前記対象画素に対する前記表示用階調レベル（Ｘ）を前記擬似表示用階調レベル（Ｙ）に代えて、前記映像信号を前記表示部（６）に出力するステップ（Ｓ５１、Ｓ５６、Ｓ５４）を含んでいる。
【００２５】
本発明の偽輪郭低減方法において、前記表示部（６）に出力するステップ（Ｓ５１〜Ｓ５５）（Ｓ５１、Ｓ５６、Ｓ５４）は、前記映像信号を入力し、前記対象画素と前記対象画素の周辺の周辺画素とを含む画素群に対して前記偽輪郭発生検出信号（Ｇ−１“Ｈｉ／Ｌｏ”）（Ｅ−１）を受け付けた場合、前記映像信号の前記画素群に対する前記表示用階調レベル（Ｘ）を前記擬似表示用階調レベル（Ｙ）に代える拡散処理を行なうステップ（Ｓ５１〜Ｓ５３、Ｓ５５）（Ｓ５１、Ｓ５６）と、前記拡散処理が行われた前記映像信号を前記表示部（６）に出力するステップ（Ｓ５４）とを含んでいる。前記拡散処理が行われた前記画素群に対する前記擬似表示用階調レベル（Ｙ）の平均値と、前記拡散処理が行われる前の前記画素群に対する前記表示用階調レベル（Ｘ）の平均値とは、同じである。
【００２６】
本発明の偽輪郭低減方法において、前記拡散処理を行なうステップ（Ｓ５１〜Ｓ５３、Ｓ５５）（Ｓ５１、Ｓ５６）は、前記画素群のうちの第１画素群に対する前記表示用階調レベル（Ｘ）を、前記擬似表示用階調レベル（Ｙ）として第１擬似表示用階調レベル（Ｙ）に代え、前記画素群のうち、前記第１画素群以外の第２画素群に対する前記表示用階調レベル（Ｘ）を、前記擬似表示用階調レベル（Ｙ）として第２擬似表示用階調レベル（Ｙ）に代えるステップ（Ｓ５３、Ｓ５５）（Ｓ５６）を含んでいる。前記第１擬似表示用階調レベル（Ｙ）は、前記表示用階調レベル（Ｘ）よりも小さく、前記第２擬似表示用階調レベル（Ｙ）は、前記表示用階調レベル（Ｘ）よりも大きい。
【発明の効果】
【００２７】
本発明の映像信号処理回路、プラズマ表示装置、及び、偽輪郭低減方法によれば、微小な輝度変化により生じる偽輪郭を低減することができる。
【発明を実施するための最良の形態】
【００２８】
以下に添付図面を参照して、本発明の映像信号処理回路について詳細に説明する。
【００２９】
（第１実施形態）
図４は、本発明の第１実施形態による映像信号処理回路が適用される表示装置の構成を示すブロック図である。表示装置は、映像信号処理回路１、ビデオ信号処理部２、Ａ／Ｄ変換部３、同期分離処理部４、タイミング発生部５、表示部６を具備している。ビデオ信号処理部２は、Ａ／Ｄ変換部３に接続され、Ａ／Ｄ変換部３は、映像信号処理回路１に接続され、映像信号処理回路１は、表示部６に接続されている。同期分離処理部４は、タイミング発生部５に接続され、タイミング発生部５は、ビデオ信号処理部２、Ａ／Ｄ変換部３、映像信号処理回路１、表示部６に接続されている。
【００３０】
表示部６は、表示制御部７、プラズマディスプレイパネル８を具備している。
プラズマディスプレイパネル８は、１番目からｍ番目（ｍは１以上の整数）までのｍ個の走査電極（図示しない）と、１番目からｍ番目までのｍ個の維持電極（図示しない）と、１番目からｎ番目（ｎは１以上の整数）までのｎ個のデータ電極（図示しない）と、（ｍ×ｎ）個の画素（図示しない）とを具備している。（ｍ×ｎ）個の画素は、ｍ行・ｎ列に配列されている。ｍ行のうちの１つの行に属するｎ個の画素には、ｍ個の走査電極のうちの１つの走査電極と、ｍ個の維持電極のうちの１つの維持電極とが設けられている。ｎ列のうちの１つの列に属するｍ個の画素には、ｎ個のデータ電極のうち、ｍ個の走査電極とｍ個の維持電極とに直交する１つのデータ電極が設けられている。
表示制御部７は、ｍ個の走査電極を駆動する走査ドライバー（図示しない）と、ｎ個のデータ電極を駆動するデータドライバー（図示しない）とを含んでいる。
【００３１】
ビデオ信号処理部２、同期分離処理部４には、ビデオ信号が供給される。ビデオ信号は、アナログ映像信号と同期信号とを含んでいる。同期分離処理部４は、ビデオ信号をアナログ映像信号と同期信号とに分離して、タイミング発生部５に出力する。タイミング発生部５は、アナログ映像信号に同期したタイミングで同期信号をビデオ信号処理部２、Ａ／Ｄ変換部３、映像信号処理回路１、表示制御部７に出力する。ビデオ信号処理部２、Ａ／Ｄ変換部３、映像信号処理回路１、表示制御部７は、同期信号に同期して動作する。ビデオ信号処理部２は、ビデオ信号に含まれるアナログ映像信号をＡ／Ｄ変換部３に出力し、Ａ／Ｄ変換部３は、ビデオ信号処理部２からのアナログ映像信号をデジタル映像信号に変換して映像信号処理回路１に出力する。
【００３２】
デジタル映像信号は、プラズマディスプレイパネル８の１フレーム分の画素（複数の画素）に映像を表示するための表示用階調レベルＸを表す映像信号であり、１番目からＭ番目（Ｍ＝ｍ×ｎ）までこの順に配列されたＭ個の入力信号により構成されている。Ｍ個の入力信号は、それぞれ、プラズマディスプレイパネル８の（ｍ×ｎ）個の画素に対応付けられている。Ｍ個の入力信号の各々は、１フィールドで構成されている。１フィールドは、例えば、輝度の重み付けの小さい順に１番目からＮ番目までのＮ個のサブフィールドで構成されている。第１サブフィールド、第２サブフィールド、…、第Ｎサブフィールドの輝度の重みの比は、それぞれ２０、２１、…、２Ｎ−１である。本実施例ではＮを８として説明を行なう。この場合、１フィールドは、８個のサブフィールドで構成され、第１サブフィールド、第２サブフィールド、…、第８サブフィールドの輝度の重みの比は、それぞれ２０、２１、…、２７である。即ち、第１サブフィールド、第２サブフィールド、…、第８サブフィールドには、発光回数の比（発光期間の比）として、階調レベル“１”、“２”、…、“１２８”が設定され、８個のサブフィールドにより２５６階調の表示を行なうことができる。８個のサブフィールドに階調レベルが設定されていない場合、（ｍ×ｎ）個の画素のうち、ｉ行ｊ列目（ｉは、１≦ｉ≦ｍを満たす整数）（ｊは、１≦ｊ≦ｎを満たす整数）の対象画素に映像を表示するための階調レベルは、０を表す。８個のサブフィールドのいずれか１つに階調レベルが設定されている場合、ｉ行ｊ列目の対象画素に映像を表示するための階調レベルは、１〜２５５の範囲を表す。
【００３３】
映像信号処理回路１は、検出回路９、信号出力回路１０を具備している。
検出回路９は、Ａ／Ｄ変換部３からのデジタル映像信号のＭ個の入力信号を順次に入力し、デジタル映像信号のＭ個の入力信号が表す表示用階調レベルＸが、偽輪郭が発生する階調レベルを表す領域に含まれるか否かを順次に調べる。例えば、検出回路９は、デジタル映像信号の第Ｉ入力信号（Ｉは、１≦Ｉ≦Ｍを満たす整数）が表す表示用階調レベルＸが上記領域に含まれるか否かを調べる。第Ｉ入力信号は、ｉ行ｊ列目の対象画素に対応する。デジタル映像信号の対象画素に対する表示用階調レベルＸが上記領域に含まれるとき、検出結果を出力する。
信号出力回路１０は、Ａ／Ｄ変換部３からのデジタル映像信号のＭ個の入力信号を順次に入力する。信号出力回路１０は、第Ｉ入力信号と、検出回路９からの検出結果とを入力したときに、その検出結果に基づいて、デジタル映像信号の第Ｉ入力信号が表す表示用階調レベルＸ（対象画素に対する表示用階調レベルＸ）を、偽輪郭が発生しない擬似表示用階調レベルＹに代えて、デジタル映像信号を表示部６に出力する。
【００３４】
表示制御部７は、映像信号処理回路１からのデジタル映像信号が表示されるようにプラズマディスプレイ８を制御する。
【００３５】
偽輪郭が発生する階調レベルを表す領域は、サブフィールドの数で決定される。即ち、Ｎ通りである。Ｎ通りの領域は各々異なる。映像信号処理回路１の検出回路９は、Ｎ通りの領域を用いて、デジタル映像信号の第Ｉ入力信号が表す表示用階調レベルＸが上記領域に含まれるか否かを調べる。ｉ行ｊ列目の対象画素の階調レベル“１２５”、“１２６”、“１２７”のいずれかから、１フレーム後に“１２８”、“１２９”、“１３０”のいずれかに変化した場合、認識輝度の低下により偽輪郭が発生する可能性がある。また、ｉ行ｊ列目の対象画素の階調レベル“１２８”、“１２９”、“１３０”のいずれかから、１フレーム後に“１２５”、“１２６”、“１２７”のいずれかに変化した場合、認識輝度の上昇により偽輪郭が発生する可能性がある。この場合、Ｎ通りの領域のうちの１つの領域は、階調レベル“１２８”を閾値とした階調レベル“１２５〜１３０”により表される。次に、映像信号処理回路１の詳細について説明する。
【００３６】
図５は、本発明の第１実施形態による映像信号処理回路１の検出回路９の構成を示すブロック図である。検出回路９は、領域検出回路１１、方向検出回路１２、偽輪郭検出回路１３、遅延回路１４、１５を具備している。領域検出回路１１は、Ａ／Ｄ変換部３、遅延回路１４、偽輪郭検出回路１３に接続されている。方向検出回路１２は、Ａ／Ｄ変換部３、遅延回路１５、偽輪郭検出回路１３に接続されている。遅延回路１４、１５は、偽輪郭検出回路１３に接続されている。偽輪郭検出回路１３は、信号出力回路１０に接続されている。
【００３７】
図６は、本発明の第１実施形態による映像信号処理回路１の検出回路９の領域検出回路１１の構成を示すブロック図である。領域検出回路１１は、Ｎ個の領域判定部１１−１〜１１−Ｎを具備している。領域判定部１１−１〜１１−Ｎは、メモリ（図示しない）を備え、領域判定部１１−１〜１１−Ｎのメモリには、それぞれ、偽輪郭が発生する可能性がある階調レベルを表すＮ通りの候補領域Ｌ１１−１〜Ｌ１１−Ｎが記憶されている。領域判定部１１−Ｊ（Ｊ＝１、２、…、Ｎ）は、Ａ／Ｄ変換部３からのデジタル映像信号のＭ個の入力信号を順次に入力し、デジタル映像信号のＭ個の入力信号が表す表示用階調レベルＸが候補領域Ｌ１１−Ｊに含まれるか否かを順次に調べる。
例えば、候補領域Ｌ１１−１は、偽輪郭が発生する可能性がある階調レベルとして“１２５〜１３０”により表されるものとする。領域判定部１１−１は、デジタル映像信号の第Ｉ入力信号が表す表示用階調レベルＸ（対象画素に対する表示用階調レベルＸ）が候補領域Ｌ１１−１“１２５〜１３０”に含まれるとき、領域検出信号Ｃ−１をハイレベルにして出力する。この場合、領域判定部１１−２〜１１−Ｎは、それぞれ、領域検出信号Ｃ−２〜Ｃ−Ｎをローレベルにして出力する。
【００３８】
図７は、本発明の第１実施形態による映像信号処理回路１の検出回路９の方向検出回路１２の構成を示すブロック図である。方向検出回路１２は、Ｎ個の方向判定部１２−１〜１２−Ｎを具備している。方向判定部１２−１〜１２−Ｎは、メモリ（図示しない）を備え、方向判定部１２−１〜１２−Ｎのメモリには、それぞれ、候補領域Ｌ１１−１〜Ｌ１１−Ｎのうちの発生候補領域Ｌ１２−１〜Ｌ１２−Ｎが記憶されている。方向判定部１２−Ｊ（Ｊ＝１、２、…、Ｎ）は、Ａ／Ｄ変換部３からのデジタル映像信号のＭ個の入力信号を順次に入力し、デジタル映像信号のＭ個の入力信号が表す表示用階調レベルＸが発生候補領域Ｌ１２−Ｊに含まれるか否かを順次に調べる。
例えば、発生候補領域Ｌ１２−１は、候補領域Ｌ１１−１“１２５〜１３０”のうち、閾値の階調レベル“１２８”以上の領域、即ち、“１２８〜１３０”により表されるものとする。方向判定部１２−１は、デジタル映像信号の第Ｉ入力信号が表す表示用階調レベルＸ（対象画素に対する表示用階調レベルＸ）が発生候補領域Ｌ１２−１“１２８〜１３０”に含まれるとき、方向検出信号Ｄ−１をハイレベルにして出力する。この場合、方向判定部１２−２〜１２−Ｎは、それぞれ、方向検出信号Ｄ−２〜Ｄ−Ｎをローレベルにして出力する。
【００３９】
図８は、本発明の第１実施形態による映像信号処理回路１の検出回路９の遅延回路１４の構成を示すブロック図である。遅延回路１４は、Ｎ個の遅延部１４−１〜１４−Ｎを具備している。遅延部１４−Ｊ（Ｊ＝１、２、…、Ｎ）は、領域判定部１１−Ｊからの領域検出信号Ｃ−Ｊを、同期信号に同期した１フレーム分遅延させて、領域検出信号Ａ−Ｊを出力する。
【００４０】
図９は、本発明の第１実施形態による映像信号処理回路１の検出回路９の遅延回路１５の構成を示すブロック図である。遅延回路１５は、Ｎ個の遅延部１５−１〜１５−Ｎを具備している。遅延部１５−Ｊ（Ｊ＝１、２、…、Ｎ）は、方向判定部１２−Ｊからの方向検出信号Ｄ−Ｊを、同期信号に同期した１フレーム分遅延させて、方向検出信号Ｂ−Ｊを出力する。
【００４１】
図１０は、本発明の第１実施形態による映像信号処理回路１の検出回路９の偽輪郭検出回路１３の構成を示すブロック図である。偽輪郭検出回路１３は、Ｎ個の偽輪郭検出部１３−１〜１３−Ｎを具備している。偽輪郭検出部１３−Ｊ（Ｊ＝１、２、…、Ｎ）は、領域判定部１１−Ｊからのハイレベルの領域検出信号Ｃ−Ｊと、遅延回路１４からのハイレベルの領域検出信号Ａ−Ｊとを受け付け、且つ、方向判定部１２−Ｊからのハイレベルの方向検出信号Ｄ−Ｊと、遅延回路１４からのハイレベルの方向検出信号Ｂ−Ｊとの一方を受け付けたとき、偽輪郭発生検出信号Ｇ−Ｊを上記の検出結果として出力する。
例えば、偽輪郭検出部１３−１は、領域判定部１１−１からのハイレベルの領域検出信号Ｃ−１と、遅延回路１４からのハイレベルの領域検出信号Ａ−１とを受け付け、且つ、方向判定部１２−１からのハイレベルの方向検出信号Ｄ−１とを受け付けたものとする。このとき、ｉ行ｊ列目の対象画素の階調レベル“１２５”、“１２６”、“１２７”のいずれかから、１フレーム後に“１２８”、“１２９”、“１３０”のいずれかに変化した場合、認識輝度の低下により偽輪郭が発生する可能性があるため、偽輪郭検出部１３−１は、偽輪郭発生検出信号Ｇ−１をハイレベルにして出力する。この場合、偽輪郭検出部１３−２〜１３−Ｎは、不定であり、それぞれ、偽輪郭発生検出信号Ｇ−２〜Ｇ−Ｎを出力しない。
例えば、偽輪郭検出部１３−１は、領域判定部１１−１からのハイレベルの領域検出信号Ｃ−１と、遅延回路１４からのハイレベルの領域検出信号Ａ−１とを受け付け、且つ、遅延回路１４からのハイレベルの方向検出信号Ｂ−１とを受け付けたものとする。このとき、ｉ行ｊ列目の対象画素の階調レベル“１２８”、“１２９”、“１３０”のいずれかから、１フレーム後に“１２５”、“１２６”、“１２７”のいずれかに変化した場合、認識輝度の上昇により偽輪郭が発生する可能性があるため、偽輪郭検出部１３−１は、偽輪郭発生検出信号Ｇ−１をローレベルにして出力する。この場合、偽輪郭検出部１３−２〜１３−Ｎは、不定であり、それぞれ、偽輪郭発生検出信号Ｇ−２〜Ｇ−Ｎを出力しない。
【００４２】
図１１は、本発明の第１実施形態による映像信号処理回路１の信号出力回路１０の構成を示すブロック図である。信号出力回路１０は、拡散処理部１６、出力部１７を具備している。拡散処理部１６は、デジタル映像信号のＭ個の入力信号がそれぞれプラズマディスプレイパネル８の（ｍ×ｎ）個の画素に対応付けられていることを認識している。
拡散処理部１６は、Ａ／Ｄ変換部３からのデジタル映像信号のＭ個の入力信号を順次に入力する。このとき、デジタル映像信号は、検出回路９の出力と同期するように、２フレーム分遅れて拡散処理部１６に供給される。
【００４３】
拡散処理部１６は、デジタル映像信号の第Ｉ入力信号と、偽輪郭検出部１３−１からハイレベルの偽輪郭発生検出信号Ｇ−１とを入力したときに、デジタル映像信号の第Ｉ入力信号が表す表示用階調レベルＸ（対象画素に対する表示用階調レベルＸ）を、偽輪郭が発生しない擬似表示用階調レベルＹに代える。このとき、拡散処理部１６は、対象画素と対象画素の周辺の周辺画素とを含む画素群に対して偽輪郭発生検出信号Ｇ−１を受け付けた場合、デジタル映像信号の上記画素群に対する表示用階調レベルＸを擬似表示用階調レベルＹに代える拡散処理を行なう。出力部１７は、拡散処理部１６により処理されたデジタル映像信号を表示部６に出力する。
【００４４】
拡散処理は、認識輝度低下拡散処理と、認識輝度上昇拡散処理とを含んでいる。拡散処理部１６は、メモリ（図示しない）を備え、そのメモリには、上記の擬似表示用階調レベルＹとして、認識輝度低下擬似表示用階調レベルＹ１−１〜Ｙ１−Ｎと、認識輝度上昇擬似表示用階調レベルＹ２−１〜Ｙ２−Ｎとが記憶されている。拡散処理部１６は、ハイレベルの偽輪郭発生検出信号Ｇ−１を受け付けた場合、認識輝度低下拡散処理を行ない、ローレベルの偽輪郭発生検出信号Ｇ−１を受け付けた場合、認識輝度上昇拡散処理を行なう。
【００４５】
認識輝度低下拡散処理について説明する。
【００４６】
認識輝度低下擬似表示用階調レベルＹ１−Ｊ（Ｊ＝１、２、…、Ｎ）は、第１認識輝度低下擬似表示用階調レベルＹ１−Ｊ−１と、第２認識輝度低下擬似表示用階調レベルＹ１−Ｊ−２とを含み、例えば、認識輝度低下擬似表示用階調レベルＹ１−１は、第１認識輝度低下擬似表示用階調レベルＹ１−１−１“１２７”と、第２認識輝度低下擬似表示用階調レベルＹ１−１−２“１３１”とを含んでいる。上記画素群が、対象画素と、３つの周辺画素とを含む４つの画素で構成され、デジタル映像信号の上記４つの画素に対する表示用階調レベルＸが“１２８”を表しているときに、拡散処理部１６は、上記４つの画素に対してハイレベルの偽輪郭発生検出信号Ｇ−１を受け付けた場合、デジタル映像信号の上記４つの画素のうちの３つの画素に対する表示用階調レベルＸ“１２８”を第１認識輝度低下擬似表示用階調レベルＹ１−１−１“１２７”に代え、デジタル映像信号の上記４つの画素のうちの１つの画素に対する表示用階調レベルＸ“１２８”を第２認識輝度低下擬似表示用階調レベルＹ１−１−２“１３１”に代える。このとき、拡散処理が行われた上記４つの画素に対する認識輝度低下擬似表示用階調レベルＹ１−１の平均値（１２７＋１２７＋１２７＋１３１）／４と、拡散処理が行われる前の上記４つの画素に対する表示用階調レベルＸの平均値（１２８＋１２８＋１２８＋１２８）／４とは、同じである。
【００４７】
例えば、図１２に示されるように、デジタル映像信号の第Ｉ入力信号がｉ行ｊ列目の対象画素（図中の太線）に対応し、ｉ行ｊ列目の対象画素と、ｉ行（ｊ−３）列目、ｉ行（ｊ−２）列目、ｉ行（ｊ−１）列目の周辺画素に対する表示用階調レベルＸが“１２８”を表しているものとする。この場合、拡散処理部１６は、上記４つの画素に対してハイレベルの偽輪郭発生検出信号Ｇ−１を受け付けたとき、デジタル映像信号のｉ行ｊ列目の対象画素とｉ行（ｊ−３）列目、ｉ行（ｊ−２）列目の周辺画素に対する表示用階調レベルＸ“１２８”を第１認識輝度低下擬似表示用階調レベルＹ１−１−１“１２７”に代え、デジタル映像信号のｉ行（ｊ−１）列目の周辺画素に対する表示用階調レベルＸ“１２８”を第２認識輝度低下擬似表示用階調レベルＹ１−１−２“１３１”に代える。
【００４８】
例えば、図１３に示されるように、デジタル映像信号の第Ｉ入力信号がｉ行ｊ列目の対象画素（図中の太線）に対応し、ｉ行ｊ列目の対象画素と、（ｉ−３）行ｊ列目、（ｉ−２）行ｊ列目、（ｉ−１）行ｊ列目の周辺画素に対する表示用階調レベルＸが“１２８”を表しているものとする。この場合、拡散処理部１６は、上記４つの画素に対してハイレベルの偽輪郭発生検出信号Ｇ−１を受け付けたとき、デジタル映像信号のｉ行ｊ列目の対象画素と（ｉ−３）行ｊ列目、（ｉ−２）行ｊ列目の周辺画素に対する表示用階調レベルＸ“１２８”を第１認識輝度低下擬似表示用階調レベルＹ１−１−１“１２７”に代え、デジタル映像信号の（ｉ−１）行ｊ列目の周辺画素に対する表示用階調レベルＸ“１２８”を第２認識輝度低下擬似表示用階調レベルＹ１−１−２“１３１”に代える。
【００４９】
例えば、図１４に示されるように、デジタル映像信号の第Ｉ入力信号がｉ行ｊ列目の対象画素（図中の太線）に対応し、ｉ行ｊ列目の対象画素と、（ｉ−１）行（ｊ−１）列目、（ｉ−１）行ｊ列目、ｉ行（ｊ−１）列目の周辺画素に対する表示用階調レベルＸが“１２８”を表しているものとする。この場合、拡散処理部１６は、上記４つの画素に対してハイレベルの偽輪郭発生検出信号Ｇ−１を受け付けたとき、デジタル映像信号のｉ行ｊ列目の対象画素と（ｉ−１）行（ｊ−１）列目、（ｉ−１）行ｊ列目の周辺画素に対する表示用階調レベルＸ“１２８”を第１認識輝度低下擬似表示用階調レベルＹ１−１−１“１２７”に代え、デジタル映像信号のｉ行（ｊ−１）列目の周辺画素に対する表示用階調レベルＸ“１２８”を第２認識輝度低下擬似表示用階調レベルＹ１−１−２“１３１”に代える。
【００５０】
認識輝度上昇拡散処理について説明する。
【００５１】
認識輝度上昇擬似表示用階調レベルＹ２−Ｊ（Ｊ＝１、２、…、Ｎ）は、第１認識輝度上昇擬似表示用階調レベルＹ２−Ｊ−１と、第２認識輝度上昇擬似表示用階調レベルＹ２−Ｊ−２とを含み、例えば、認識輝度上昇擬似表示用階調レベルＹ２−１は、第１認識輝度上昇擬似表示用階調レベルＹ２−１−１“１２４”と、第２認識輝度上昇表示用階調レベルＹ２−１−２“１２８”とを含んでいる。上記画素群が、対象画素と、３つの周辺画素とを含む４つの画素で構成され、デジタル映像信号の上記４つの画素に対する表示用階調レベルＸが“１２６”を表しているときに、拡散処理部１６は、上記４つの画素に対してローレベルの偽輪郭発生検出信号Ｇ−１を受け付けた場合、デジタル映像信号の上記４つの画素のうちの２つの画素に対する表示用階調レベルＸ“１２６”を第１認識輝度上昇擬似表示用階調レベルＹ２−１−１“１２４”に代え、デジタル映像信号の上記４つの画素のうちの２つの画素に対する表示用階調レベルＸ“１２８”を第２認識輝度上昇擬似表示用階調レベルＹ２−１−２“１２８”に代える。このとき、拡散処理が行われた上記４つの画素に対する認識輝度上昇擬似表示用階調レベルＹ２−１の平均値（１２４＋１２４＋１２８＋１２８）／４と、拡散処理が行われる前の上記４つの画素に対する表示用階調レベルＸの平均値（１２６＋１２６＋１２６＋１２６）／４とは、同じである。
【００５２】
本発明の第１実施形態による映像信号処理回路１によれば、検出回路９は、Ａ／Ｄ変換部３からのデジタル映像信号を入力し、デジタル映像信号の入力信号Ｐが表す表示用階調レベルＸ（対象画素に対する表示用階調レベルＸ）が、偽輪郭が発生する階調レベルを表す領域に含まれるとき、検出結果を出力する。信号出力回路１０は、Ａ／Ｄ変換部３からのデジタル映像信号を入力し、検出結果に基づいて、デジタル映像信号の入力信号Ｐが表す表示用階調レベルＸ（対象画素に対する表示用階調レベルＸ）を、偽輪郭が発生しない擬似表示用階調レベルＹに代えて、デジタル映像信号を表示部６に出力する。これにより、本発明の第１実施形態による映像信号処理回路１によれば、微小な輝度変化により生じる偽輪郭を低減することができる。
また、信号出力回路１０は、上記の拡散処理として認識輝度低下拡散処理を実行することにより、認識輝度の低下により感じる偽輪郭を低減することができる。
また、信号出力回路１０は、上記の拡散処理として認識輝度上昇拡散処理を実行することにより、認識輝度の上昇により感じる偽輪郭を低減することができる。
【００５３】
次に、本発明の第１実施形態による映像信号処理回路１の動作として偽輪郭低減方法について、図１５〜図２２を参照して説明する。この偽輪郭低減方法は、第１実施形態による映像信号処理回路１をソフトウェアで構成しても実現できる。
【００５４】
図１５に示されるように、デジタル映像信号のＭ個の入力信号のうち、表示用階調レベルＸ“１２３”、“１２３”、“１２４”、“１２４”、“１２５”、“１２５”、“１２６”、“１２６”、“１２７”、“１２７”、“１２８”、“１２８”、“１２９”、“１２９”、“１３０”、“１３０”、“１３１”、“１３１”、…を表す入力信号Ｑが映像信号処理回路１に供給され、１フレーム後に、上記表示用階調レベルＸが行方向に３画素分だけ左に移動した入力信号Ｐが映像信号処理回路１に供給されたものとする。
【００５５】
映像信号処理回路１の検出回路９の領域検出回路１１（領域判定部１１−１）は、Ａ／Ｄ変換部３からのデジタル映像信号の入力信号Ｐ（表示用階調レベルＸ）“１２４”、“１２５”、“１２５”、“１２６”、“１２６”、“１２７”、“１２７”、“１２８”、“１２８”、“１２９”、“１２９”、“１３０”、“１３０”、“１３１”、“１３１”、“１３２”、“１３２”、“１３３”、…を順次に入力する（図１６；領域判定処理のステップＳ１）。領域検出回路１１（領域判定部１１−１）は、上記入力信号（表示用階調レベルＸ）が候補領域Ｌ１１−１“１２５〜１３０”に含まれるとき、領域検出信号Ｃ−１をハイレベル“Ｈｉ”にして出力し（図１６；領域判定処理のステップＳ２−ＹＥＳ、Ｓ３）、上記入力信号（表示用階調レベルＸ）が候補領域Ｌ１１−１“１２５〜１３０”に含まれないとき、領域検出信号Ｃ−１をローレベル“Ｌｏ”にして出力する（図１６；領域判定処理のステップＳ２−ＮＯ、Ｓ４）。即ち、領域検出回路１１（領域判定部１１−１）は、上記入力信号Ｐ（表示用階調レベルＸ）に対応して、領域検出信号Ｃ−１を“Ｌｏ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｌｏ”、“Ｌｏ”、“Ｌｏ”、“Ｌｏ”、“Ｌｏ”、…を順次に出力する。
【００５６】
映像信号処理回路１の検出回路９の方向検出回路１２（方向判定部１２−１）は、Ａ／Ｄ変換部３からのデジタル映像信号の上記入力信号Ｐ（表示用階調レベルＸ）を順次に入力する（図１７；方向判定処理のステップＳ１１）。方向検出回路１２（方向判定部１２−１）は、上記入力信号（表示用階調レベルＸ）が発生候補領域Ｌ１２−１“１２８〜１３０”に含まれるとき、方向検出信号Ｄ−１をハイレベル“Ｈｉ”にして出力し（図１７；方向判定処理のステップＳ１２−ＹＥＳ、Ｓ１３）、上記入力信号（表示用階調レベルＸ）が発生候補領域Ｌ１２−１“１２８〜１３０”に含まれないとき、方向検出信号Ｄ−１をローレベル“Ｌｏ”にして出力する（図１７；方向判定処理のステップＳ１２−ＮＯ、Ｓ１４）。即ち、方向検出回路１２（方向判定部１２−１）は、上記入力信号Ｐ（表示用階調レベルＸ）に対応して、方向検出信号Ｄ−１を“Ｌｏ”、“Ｌｏ”、“Ｌｏ”、“Ｌｏ”、“Ｌｏ”、“Ｌｏ”、“Ｌｏ”、“Ｈｉ”、“Ｈｉ”、“Ｈｉ”、“Ｈｉ”、“Ｈｉ”、“Ｈｉ”、“Ｌｏ”、“Ｌｏ”、“Ｌｏ”、“Ｌｏ”、“Ｌｏ”、…を順次に出力する。
【００５７】
映像信号処理回路１の検出回路９の遅延回路１４は、領域検出回路１１（領域判定部１１−１）からの上記領域検出信号Ｃ−１を順次に入力する（図１８；領域遅延処理のステップＳ２１）。遅延回路１４は、上記領域検出信号Ｃ−１を１フレーム分遅延させて、領域検出信号Ａ−１“Ｌｏ”、“Ｌｏ”、“Ｌｏ”、“Ｌｏ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｌｏ”、“Ｌｏ”、…を出力する（図１８；領域遅延処理のステップＳ２２、Ｓ２３）。
【００５８】
映像信号処理回路１の検出回路９の遅延回路１５は、方向検出回路１２（方向判定部１２−１）からの上記方向検出信号Ｄ−１を順次に入力する（図１９；方向遅延処理のステップＳ３１）。遅延回路１５は、上記方向検出信号Ｄ−１を１フレーム分遅延させて、方向検出信号Ｂ−１“Ｌｏ”、“Ｌｏ”、“Ｌｏ”、“Ｌｏ”、“Ｌｏ”、“Ｌｏ”、“Ｌｏ”、“Ｌｏ”、“Ｌｏ”、“Ｌｏ”、“Ｈｉ”、“Ｈｉ”、“Ｈｉ”、“Ｈｉ”、“Ｈｉ”、“Ｈｉ”、“Ｌｏ”、“Ｌｏ”、…を出力する（図１９；方向遅延処理のステップＳ３２、Ｓ３３）。
【００５９】
映像信号処理回路１の検出回路９の偽輪郭検出回路１３（偽輪郭検出部１３−１）は、領域検出回路１１（領域判定部１１−１）からの上記領域検出信号Ｃ−１と、方向検出回路１２（方向判定部１２−１）からの上記方向検出信号Ｄ−１と、遅延回路１４からの上記領域検出信号Ａ−１と、遅延回路１５からの上記方向検出信号Ｂ−１とを順次に入力する（図２０；偽輪郭検出処理のステップＳ４１）。
【００６０】
偽輪郭検出回路１３（偽輪郭検出部１３−１）は、上記領域検出信号Ｃ−１と上記領域検出信号Ａ−１との論理積Ｅ“不定”、“不定”、“不定”、“不定”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“不定”、“不定”、“不定”、“不定”、“不定”、…を順次に求める。論理積Ｅがハイレベル“不定”である場合、偽輪郭検出部１３−１がハイレベルの領域検出信号Ｃ−１とハイレベルの領域検出信号Ａ−１との両方を受け付けていないことを意味する（図２０；偽輪郭検出処理のステップＳ４２−ＮＯ、Ｓ４７）。論理積Ｅがハイレベル“Ｈｉ”である場合、偽輪郭検出部１３−１がハイレベルの領域検出信号Ｃ−１とハイレベルの領域検出信号Ａ−１との両方を受け付けていて、偽輪郭が発生する可能性があることを意味する（図２０；偽輪郭検出処理のステップＳ４２−ＹＥＳ）。
【００６１】
偽輪郭検出回路１３（偽輪郭検出部１３−１）は、上記論理積Ｅがハイレベル“Ｈｉ”である期間中に、上記方向検出信号Ｄ−１と上記方向検出信号Ｂ−１との排他的論理和Ｆ“不定”、“不定”、“不定”、“不定”、“Ｌｏ”、“Ｌｏ”、“Ｌｏ”、“Ｈｉ”、“Ｈｉ”、“Ｈｉ”、“Ｌｏ”、“Ｌｏ”、“Ｌｏ”、“不定”、“不定”、“不定”、“不定”、“不定”、…を順次に求める。次に、偽輪郭検出回路１３（偽輪郭検出部１３−１）は、上記排他的論理和Ｆのハイレベル“Ｈｉ”の期間中に、上記方向検出信号Ｄ−１と上記方向検出信号Ｂ−１との差分Ｇ｛［Ｄ−１］−［Ｂ−１］｝を取り、上記の偽輪郭発生検出信号Ｇ−１として“不定”、“不定”、“不定”、“不定”、“不定”、“不定”、“不定”、“Ｈｉ”、“Ｈｉ”、“Ｈｉ”、“不定”、“不定”、“不定”、“不定”、“不定”、“不定”、“不定”、“不定”、…を順次に出力する。ここで、“Ｈｉ”を“１”とし、“Ｌｏ”を“０”としたとき、差分Ｇ｛［Ｄ−１］−［Ｂ−１］｝が１である場合、偽輪郭発生検出信号Ｇ−１をハイレベル“Ｈｉ”にして出力する。差分Ｇ（偽輪郭発生検出信号Ｇ−１）がハイレベル“Ｈｉ”である場合、偽輪郭検出部１３−１が、ハイレベルの方向検出信号Ｄ−１とハイレベルの領域検出信号Ａ−１との両方を受け付け、且つ、ハイレベルの方向検出信号Ｄ−１を受け付けていて、認識輝度の低下により偽輪郭が発生する可能性があることを意味する（図２０；偽輪郭検出処理のステップＳ４３−ＹＥＳ、Ｓ４４）。
【００６２】
映像信号処理回路１の信号出力回路１０の拡散処理部１６は、Ａ／Ｄ変換部３からのデジタル映像信号の上記入力信号Ｐ（表示用階調レベルＸ）と、偽輪郭検出回路１３（偽輪郭検出部１３−１）からの上記偽輪郭発生検出信号Ｇ−１とを順次に入力する（図２１；拡散処理のステップＳ５１）。
上記入力信号Ｐ（表示用階調レベルＸ）“１２８”、“１２８”、“１２９”に対して、上記の偽輪郭発生検出信号Ｇ−１がハイレベル“Ｈｉ”である。この場合、拡散処理部１６は、認識輝度低下拡散処理を実行する。即ち、拡散処理部１６は、上記入力信号Ｐが表す表示用階調レベルＸ“１２８”、“１２８”を第１認識輝度低下擬似表示用階調レベルＹ１−１−１“１２７”に代え、上記入力信号Ｐが表す表示用階調レベルＸ“１２９”を第２認識輝度低下擬似表示用階調レベルＹ１−１−２“１３１”に代える。このとき、拡散処理が行われた認識輝度低下擬似表示用階調レベルＹ１−１の平均値（１２７＋１２７＋１３１）／３と、拡散処理が行われる前の上記表示用階調レベルＸの平均値（１２８＋１２８＋１２９）／３とは、同じである（図２１；拡散処理のステップＳ５２−ＹＥＳ、Ｓ５３）。
出力部１７は、上記入力信号Ｐ（階調レベル）“１２４”、“１２５”、“１２５”、“１２６”、“１２６”、“１２７”、“１２７”、“１２７”、“１２７”、“１３１”、“１２９”、“１３０”、“１３０”、“１３１”、“１３１”、“１３２”、“１３２”、“１３３”、…を、拡散処理部１６により処理されたデジタル映像信号として表示部６に出力する（図２１；拡散処理のステップＳ５４）。
【００６３】
本発明の第１実施形態による映像信号処理回路１によれば、検出回路９は、デジタル映像信号の入力信号Ｐが表す表示用階調レベルＸ（対象画素に対する表示用階調レベルＸ）“１２８”、“１２８”、“１２９”が、偽輪郭が発生する階調レベルを表す領域に含まれるとき、検出結果を出力する。信号出力回路１０は、検出結果に基づいて、デジタル映像信号の入力信号Ｐが表す表示用階調レベルＸ（対象画素に対する表示用階調レベルＸ）“１２８”、“１２８”、“１２９”を、偽輪郭が発生しない擬似表示用階調レベルＹ“１２７”、“１２７”、“１３１”に代えて、デジタル映像信号を表示部６に出力する。これにより、本発明の第１実施形態による映像信号処理回路１によれば、微小な輝度変化により生じる偽輪郭を低減することができる。
また、信号出力回路１０は、検出結果として偽輪郭発生検出信号Ｇ−１がハイレベルであるとき、上記の拡散処理として認識輝度低下拡散処理を実行する。これにより、本発明の第１実施形態による映像信号処理回路１によれば、認識輝度の低下により感じる偽輪郭を低減することができる。
【００６４】
図２２に示されるように、デジタル映像信号のＭ個の入力信号のうち、表示用階調レベルＸ“１２４”、“１２５”、“１２５”、“１２６”、“１２６”、“１２７”、“１２７”、“１２８”、“１２８”、“１２９”、“１２９”、“１３０”、“１３０”、“１３１”、“１３１”、“１３２”、“１３２”、“１３３”、…を表す入力信号Ｑが映像信号処理回路１に供給され、１フレーム後に、上記表示用階調レベルＸが行方向に３画素分だけ右に移動した入力信号Ｐが映像信号処理回路１に供給されたものとする。
【００６５】
映像信号処理回路１の検出回路９の領域検出回路１１（領域判定部１１−１）は、Ａ／Ｄ変換部３からのデジタル映像信号の入力信号Ｐ（表示用階調レベルＸ）“１２３”、“１２３”、“１２４”、“１２４”、“１２５”、“１２５”、“１２６”、“１２６”、“１２７”、“１２７”、“１２８”、“１２８”、“１２９”、“１２９”、“１３０”、“１３０”、“１３１”、“１３１”、…を順次に入力する（図１６；領域判定処理のステップＳ１）。領域検出回路１１（領域判定部１１−１）は、領域判定処理のステップＳ２〜Ｓ４を実行して、領域検出信号Ｃ−１を“Ｌｏ”、“Ｌｏ”、“Ｌｏ”、“Ｌｏ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｌｏ”、“Ｌｏ”、…を順次に出力する。
【００６６】
映像信号処理回路１の検出回路９の方向検出回路１２（方向判定部１２−１）は、方向判定処理のステップＳ１１からＳ１４を実行して、方向検出信号Ｄ−１を“Ｌｏ”、“Ｌｏ”、“Ｌｏ”、“Ｌｏ”、“Ｌｏ”、“Ｌｏ”、“Ｌｏ”、“Ｌｏ”、“Ｌｏ”、“Ｌｏ”、“Ｈｉ”、“Ｈｉ”、“Ｈｉ”、“Ｈｉ”、“Ｈｉ”、“Ｈｉ”、“Ｌｏ”、“Ｌｏ”、…を順次に出力する。
【００６７】
映像信号処理回路１の検出回路９の遅延回路１４は、領域遅延処理のステップＳ２１〜Ｓ２３を実行して、領域検出信号Ａ−１“Ｌｏ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｌｏ”、“Ｌｏ”、“Ｌｏ”、“Ｌｏ”、“Ｌｏ”、…を出力する。
【００６８】
映像信号処理回路１の検出回路９の遅延回路１５は、方向遅延処理のステップＳ３１〜Ｓ３３を実行して、方向検出信号Ｂ−１“Ｌｏ”、“Ｌｏ”、“Ｌｏ”、“Ｌｏ”、“Ｌｏ”、“Ｌｏ”、“Ｌｏ”、“Ｈｉ”、“Ｈｉ”、“Ｈｉ”、“Ｈｉ”、“Ｈｉ”、“Ｈｉ”、“Ｌｏ”、“Ｌｏ”、“Ｌｏ”、“Ｌｏ”、“Ｌｏ”、…を出力する。
【００６９】
偽輪郭検出回路１３（偽輪郭検出部１３−１）は、偽輪郭検出処理のステップＳ４１、Ｓ４２、Ｓ４７を実行して、上記領域検出信号Ｃ−１と上記領域検出信号Ａ−１との論理積Ｅ“不定”、“不定”、“不定”、“不定”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“不定”、“不定”、“不定”、“不定”、“不定”、…を順次に求める。
【００７０】
偽輪郭検出回路１３（偽輪郭検出部１３−１）は、上記論理積Ｅがハイレベル“Ｈｉ”である期間中に、上記方向検出信号Ｄ−１と上記方向検出信号Ｂ−１との排他的論理和Ｆ“不定”、“不定”、“不定”、“不定”、“Ｌｏ”、“Ｌｏ”、“Ｌｏ”、“Ｈｉ”、“Ｈｉ”、“Ｈｉ”、“Ｌｏ”、“Ｌｏ”、“Ｌｏ”、“不定”、“不定”、“不定”、“不定”、“不定”、…を順次に求める。次に、偽輪郭検出回路１３（偽輪郭検出部１３−１）は、上記排他的論理和Ｆのハイレベル“Ｈｉ”の期間中に、上記方向検出信号Ｄ−１と上記方向検出信号Ｂ−１との差分Ｇ｛［Ｄ−１］−［Ｂ−１］｝を取り、上記の偽輪郭発生検出信号Ｇ−１として“不定”、“不定”、“不定”、“不定”、“不定”、“不定”、“不定”、“Ｌｏ”、“Ｌｏ”、“Ｌｏ”、“不定”、“不定”、“不定”、“不定”、“不定”、“不定”、“不定”、“不定”、…を順次に出力する。ここで、“Ｈｉ”を“１”とし、“Ｌｏ”を“０”としたとき、差分Ｇ｛［Ｄ−１］−［Ｂ−１］｝が−１である場合、偽輪郭発生検出信号Ｇ−１をローレベル“Ｌｏ”にして出力する。差分Ｇ（偽輪郭発生検出信号Ｇ−１）がハイレベル“Ｌｏ”である場合、偽輪郭検出部１３−１が、ハイレベルの方向検出信号Ｄ−１とハイレベルの領域検出信号Ａ−１との両方を受け付け、且つ、ハイレベルの方向検出信号Ｂ−１を受け付けていて、認識輝度の上昇により偽輪郭が発生する可能性があることを意味する（図２０；偽輪郭検出処理のステップＳ４３−ＮＯ、Ｓ４５−ＹＥＳ、Ｓ４６）。
【００７１】
映像信号処理回路１の信号出力回路１０の拡散処理部１６は、Ａ／Ｄ変換部３からのデジタル映像信号の上記入力信号Ｐ（表示用階調レベルＸ）と、偽輪郭検出回路１３（偽輪郭検出部１３−１）からの上記偽輪郭発生検出信号Ｇ−１とを順次に入力する（図２１；拡散処理のステップＳ５１）。
上記入力信号Ｐ（表示用階調レベルＸ）“１２６”、“１２７”、“１２７”に対して、上記の偽輪郭発生検出信号Ｇ−１がローレベル“Ｌｏ”である。この場合、拡散処理部１６は、認識輝度上昇拡散処理を実行する。即ち、拡散処理部１６は、上記入力信号Ｐが表す表示用階調レベルＸ“１２６”を第１認識輝度上昇擬似表示用階調レベルＹ２−１−１“１２４”に代え、上記入力信号Ｐが表す表示用階調レベルＸ“１２７”、“１２７”を第２認識輝度上昇擬似表示用階調レベルＹ２−１−２“１２８”に代える。このとき、拡散処理が行われた認識輝度上昇擬似表示用階調レベルＹ２−１の平均値（１２４＋１２８＋１２８）／３と、拡散処理が行われる前の上記表示用階調レベルＸの平均値（１２６＋１２７＋１２７）／３とは、同じである（図２１；拡散処理のステップＳ５２−ＮＯ、Ｓ５５）。
出力部１７は、上記入力信号Ｐ（階調レベル）“１２３”、“１２３”、“１２４”、“１２４”、“１２５”、“１２５”、“１２６”、“１２４”、“１２８”、“１２８”、“１２８”、“１２８”、“１２９”、“１２９”、“１３０”、“１３０”、“１３１”、“１３１”、…を、拡散処理部１６により処理されたデジタル映像信号として表示部６に出力する（図２１；拡散処理のステップＳ５４）。
【００７２】
本発明の第１実施形態による映像信号処理回路１によれば、検出回路９は、デジタル映像信号の入力信号Ｐが表す表示用階調レベルＸ（対象画素に対する表示用階調レベルＸ）“１２６”、“１２７”、“１２７”が、偽輪郭が発生する階調レベルを表す領域に含まれるとき、検出結果を出力する。信号出力回路１０は、検出結果に基づいて、デジタル映像信号の入力信号Ｐが表す表示用階調レベルＸ（対象画素に対する表示用階調レベルＸ）“１２６”、“１２７”、“１２７”を、偽輪郭が発生しない擬似表示用階調レベルＹ“１２４”、“１２４”、“１２８”に代えて、デジタル映像信号を表示部６に出力する。これにより、本発明の第１実施形態による映像信号処理回路１によれば、微小な輝度変化により生じる偽輪郭を低減することができる。
また、信号出力回路１０は、検出結果として偽輪郭発生検出信号Ｇ−１がローレベルであるとき、上記の拡散処理として認識輝度上昇拡散処理を実行するする。これにより、本発明の第１実施形態による映像信号処理回路１によれば、認識輝度の上昇により感じる偽輪郭を低減することができる。
【００７３】
（第２実施形態）
本発明の第２実施形態による映像信号処理回路１では、第１実施形態と同じ説明を省略する。第１実施形態では、映像信号処理回路１の検出回路９において、偽輪郭検出回路１３の偽輪郭検出部１３−Ｊ（Ｊ＝１、２、…、Ｎ）が、領域判定部１１−Ｊからのハイレベルの領域検出信号Ｃ−Ｊと、遅延回路１４からのハイレベルの領域検出信号Ａ−Ｊとを受け付け、且つ、方向判定部１２−Ｊからのハイレベルの方向検出信号Ｄ−Ｊと、遅延回路１４からのハイレベルの方向検出信号Ｂ−Ｊとの一方を受け付けたとき、偽輪郭発生検出信号Ｇ−Ｊを検出結果として出力している。第２実施形態では、これに限定されず、図２３に示されるように、検出回路９から、方向検出回路１２、遅延回路１５を除いてもよい。この場合、図２４に示されるように、偽輪郭検出回路１３の偽輪郭検出部１３−Ｊは、領域判定部１１−Ｊからのハイレベルの領域検出信号Ｃ−Ｊと、遅延回路１４からのハイレベルの領域検出信号Ａ−Ｊとを受け付けたとき、偽輪郭発生検出信号Ｅ−Ｊを検出結果として出力する。図２５に示されるように、信号出力回路１０は、検出結果（偽輪郭発生検出信号Ｅ−Ｊ）に基づいて、デジタル映像信号の対象画素に対する表示用階調レベルＸを擬似表示用階調レベルＹに代えて、デジタル映像信号を表示部６に出力する。
【００７４】
次に、本発明の第２実施形態による映像信号処理回路１の動作として偽輪郭低減方法について、図２６、図１６、図１８、図２７、図２８を参照して説明する。この偽輪郭低減方法は、第２実施形態による映像信号処理回路１をソフトウェアで構成しても実現できる。
【００７５】
図２６に示されるように、デジタル映像信号のＭ個の入力信号のうち、表示用階調レベルＸ“１２３”、“１２３”、“１２４”、“１２４”、“１２５”、“１２５”、“１２６”、“１２６”、“１２７”、“１２７”、“１２８”、“１２８”、“１２９”、“１２９”、“１３０”、“１３０”、“１３１”、“１３１”、…を表す入力信号Ｑが映像信号処理回路１に供給され、１フレーム後に、上記表示用階調レベルＸが行方向に３画素分だけ左に移動した入力信号Ｐが映像信号処理回路１に供給されたものとする。
【００７６】
映像信号処理回路１の検出回路９の領域検出回路１１（領域判定部１１−１）は、Ａ／Ｄ変換部３からのデジタル映像信号の入力信号Ｐ（表示用階調レベルＸ）“１２４”、“１２５”、“１２５”、“１２６”、“１２６”、“１２７”、“１２７”、“１２８”、“１２８”、“１２９”、“１２９”、“１３０”、“１３０”、“１３１”、“１３１”、“１３２”、“１３２”、“１３３”、…を順次に入力する（図１６；領域判定処理のステップＳ１）。領域検出回路１１（領域判定部１１−１）は、領域判定処理のステップＳ２〜Ｓ４を実行して、領域検出信号Ｃ−１を“Ｌｏ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｌｏ”、“Ｌｏ”、“Ｌｏ”、“Ｌｏ”、“Ｌｏ”、…を順次に出力する。
【００７７】
映像信号処理回路１の検出回路９の遅延回路１４は、領域遅延処理のステップＳ２１〜Ｓ２３を実行して、領域検出信号Ａ−１“Ｌｏ”、“Ｌｏ”、“Ｌｏ”、“Ｌｏ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“Ｌｏ”、“Ｌｏ”、…を出力する。
【００７８】
映像信号処理回路１の検出回路９の偽輪郭検出回路１３（偽輪郭検出部１３−１）は、領域検出回路１１（領域判定部１１−１）からの上記領域検出信号Ｃ−１と、遅延回路１４からの上記領域検出信号Ａ−１とを順次に入力する（図２７；偽輪郭検出処理のステップＳ４１）。
【００７９】
偽輪郭検出回路１３（偽輪郭検出部１３−１）は、上記領域検出信号Ｃ−１と上記領域検出信号Ａ−１との論理積Ｅを取り、上記の偽輪郭発生検出信号Ｅ−１として“不定”、“不定”、“不定”、“不定”、“Ｈｉ”、“Ｈｉ”、“Ｈｉ”、“Ｈｉ”、“Ｈｉ”、“Ｈｉ”、“Ｈｉ”、“Ｈｉ”、“Ｈｉ”、“不定”、“不定”、“不定”、“不定”、“不定”、…を順次に出力する。論理積Ｅ（偽輪郭発生検出信号Ｅ−１）がハイレベル“不定”である場合、偽輪郭検出部１３−１がハイレベルの領域検出信号Ｃ−１とハイレベルの領域検出信号Ａ−１との両方を受け付けていないことを意味する（図２７；偽輪郭検出処理のステップＳ４２−ＮＯ、Ｓ４７）。論理積Ｅ（偽輪郭発生検出信号Ｅ−１）がハイレベル“Ｈｉ”である場合、偽輪郭検出部１３−１がハイレベルの領域検出信号Ｃ−１とハイレベルの領域検出信号Ａ−１との両方を受け付けていて、偽輪郭が発生する可能性があることを意味する（図２７；偽輪郭検出処理のステップＳ４２−ＹＥＳ）。
【００８０】
映像信号処理回路１の信号出力回路１０の拡散処理部１６は、Ａ／Ｄ変換部３からのデジタル映像信号の上記入力信号Ｐ（表示用階調レベルＸ）と、偽輪郭検出回路１３（偽輪郭検出部１３−１）からの上記偽輪郭発生検出信号Ｅ−１とを順次に入力する（図２１；拡散処理のステップＳ５１）。
この場合、拡散処理部１６は、上記入力信号Ｐ（表示用階調レベルＸ）“１２５”、“１２５”、“１２６”、“１２６”、“１２７”、“１２７”、“１２８”、“１２８”、“１２９”、“１２９”、“１３０”、“１３０”に対して、認識輝度低下拡散処理と認識輝度上昇拡散処理とを兼ね合わせた認識輝度拡散処理を実行する。即ち、拡散処理部１６は、上記入力信号Ｐが表す表示用階調レベルＸ“１２５”、“１２５”、“１２６”、“１２６”、“１２７”を第１認識輝度上昇擬似表示用階調レベルＹ２−１−１“１２４”に代え、上記入力信号Ｐが表す表示用階調レベルＸ“１２８”、“１２８”、“１２９”、“１２９”、“１３０”、“１３０”を第２認識輝度低下擬似表示用階調レベルＹ１−１−２“１３１”に代える。このとき、拡散処理が行われた認識輝度低下擬似表示用階調レベルＹの平均値（１２４＋１２４＋１２４＋１２４＋１２４＋１２４＋１３１＋１３１＋１３１＋１３１＋１３１＋１３１）／１２と、拡散処理が行われる前の上記表示用階調レベルＸの平均値（１２５＋１２５＋１２６＋１２６＋１２７＋１２７＋１２８＋１２８＋１２９＋１２９＋１３０＋１３０）／１２とは、同じである（図２８；拡散処理のステップＳ５６）。
出力部１７は、上記入力信号Ｐ（階調レベル）“１２４”、“１２４”、“１２４”、“１２４”、“１２４”、“１２４”、“１２４”、“１３１”、“１３１”、“１３１”、“１３１”、“１３１”、“１３１”、“１３１”、“１３１”、“１３２”、“１３２”、“１３３”、…を、拡散処理部１６により処理されたデジタル映像信号として表示部６に出力する（図２８；拡散処理のステップＳ５４）。
【００８１】
本発明の第２実施形態による映像信号処理回路１によれば、検出回路９は、デジタル映像信号の入力信号Ｐが表す表示用階調レベルＸ（対象画素に対する表示用階調レベルＸ）“１２５”、“１２５”、“１２６”、“１２６”、“１２７”、“１２７”、“１２８”、“１２８”、“１２９”、“１２９”、“１３０”、“１３０”が、偽輪郭が発生する階調レベルを表す領域に含まれるとき、検出結果を出力する。信号出力回路１０は、検出結果に基づいて、デジタル映像信号の入力信号Ｐが表す表示用階調レベルＸ（対象画素に対する表示用階調レベルＸ）“１２５”、“１２５”、“１２６”、“１２６”、“１２７”、“１２７”、“１２８”、“１２８”、“１２９”、“１２９”、“１３０”、“１３０”を、偽輪郭が発生しない擬似表示用階調レベルＹ“１２４”、“１２４”、“１２４”、“１２４”、“１２４”、“１２４”、“１３１”、“１３１”、“１３１”、“１３１”、“１３１”、“１３１”に代えて、デジタル映像信号を表示部６に出力する。これにより、本発明の第２実施形態による映像信号処理回路１によれば、微小な輝度変化により生じる偽輪郭を低減することができる。
【図面の簡単な説明】
【００８２】
【図１】図１は、偽輪郭を説明するための図である。
【図２】図２は、偽輪郭を説明するための図である。
【図３】図３は、偽輪郭を説明するための図である。
【図４】図４は、本発明の映像信号処理回路１が適用される表示装置の構成を示すブロック図である。（第１実施形態、第２実施形態）
【図５】図５は、本発明の映像信号処理回路１の検出回路９の構成を示すブロック図である。（第１実施形態）
【図６】図６は、本発明の映像信号処理回路１の検出回路９の領域検出回路１１の構成を示すブロック図である。（第１実施形態、第２実施形態）
【図７】図７は、本発明の映像信号処理回路１の検出回路９の方向検出回路１２の構成を示すブロック図である。（第１実施形態）
【図８】図８は、本発明の映像信号処理回路１の検出回路９の遅延回路１４の構成を示すブロック図である。（第１実施形態、第２実施形態）
【図９】図９は、本発明の映像信号処理回路１の検出回路９の遅延回路１５の構成を示すブロック図である。（第１実施形態）
【図１０】図１０は、本発明の映像信号処理回路１の検出回路９の偽輪郭検出回路１３の構成を示すブロック図である。（第１実施形態）
【図１１】図１１は、本発明の映像信号処理回路１の信号出力回路１０の構成を示すブロック図である。（第１実施形態）
【図１２】図１２は、本発明の映像信号処理回路１の信号出力回路１０の拡散処理部１６が行なう拡散処理を説明するための図である。（第１実施形態）
【図１３】図１３は、本発明の映像信号処理回路１の信号出力回路１０の拡散処理部１６が行なう拡散処理を説明するための図である。（第１実施形態）
【図１４】図１４は、本発明の映像信号処理回路１の信号出力回路１０の拡散処理部１６が行なう拡散処理を説明するための図である。（第１実施形態）
【図１５】図１５は、本発明の映像信号処理回路１の動作を説明するためのタイミングチャートである。（第１実施形態）
【図１６】図１６は、本発明の映像信号処理回路１の検出回路９の領域検出回路１１の動作を示すフローチャートである。（第１実施形態、第２実施形態）
【図１７】図１７は、本発明の映像信号処理回路１の検出回路９の方向検出回路１２の動作を示すフローチャートである。（第１実施形態）
【図１８】図１８は、本発明の映像信号処理回路１の検出回路９の遅延回路１４の動作を示すフローチャートである。（第１実施形態、第２実施形態）
【図１９】図１９は、本発明の映像信号処理回路１の検出回路９の遅延回路１５の動作を示すフローチャートである。（第１実施形態）
【図２０】図２０は、本発明の映像信号処理回路１の検出回路９の偽輪郭検出回路１３の動作を示すフローチャートである。（第１実施形態）
【図２１】図２１は、本発明の映像信号処理回路１の信号出力回路１０の動作を示すフローチャートである。（第１実施形態）
【図２２】図２２は、本発明の映像信号処理回路１の動作を説明するためのタイミングチャートである。（第１実施形態）
【図２３】図２３は、本発明の映像信号処理回路１の検出回路９の構成を示すブロック図である。（第２実施形態）
【図２４】図２４は、本発明の映像信号処理回路１の検出回路９の偽輪郭検出回路１３の構成を示すブロック図である。（第２実施形態）
【図２５】図２５は、本発明の映像信号処理回路１の信号出力回路１０の構成を示すブロック図である。（第２実施形態）
【図２６】図２６は、本発明の映像信号処理回路１の動作を説明するためのタイミングチャートである。（第２実施形態）
【図２７】図２７は、本発明の映像信号処理回路１の検出回路９の偽輪郭検出回路１３の動作を示すフローチャートである。（第２実施形態）
【図２８】図２８は、本発明の映像信号処理回路１の信号出力回路１０の動作を示すフローチャートである。（第２実施形態）
【符号の説明】
【００８３】
１    映像信号処理回路
２    ビデオ信号処理部
３    Ａ／Ｄ変換部
４    同期分離処理部
５    タイミング発生部
６    表示部
７    表示制御部
８    プラズマディスプレイパネル
９    検出回路
１０    信号出力回路
１１    領域検出回路
１１−１〜１１−Ｎ    領域判定部
１２    方向検出回路
１２−１〜１２−Ｎ    方向判定部
１３    偽輪郭検出回路
１３−１〜１３−Ｎ    偽輪郭検出部
１４    遅延回路
１４−１〜１４−Ｎ    遅延部
１５    遅延回路
１５−１〜１５−Ｎ    遅延部
１６    拡散処理部
１７    出力部
【図１】
2006039172.tif 000003
【図２】
2006039172.tif 000004
【図３】
2006039172.tif 000005
【図４】
2006039172.tif 000006
【図５】
2006039172.tif 000007
【図６】
2006039172.tif 000008
【図７】
2006039172.tif 000009
【図８】
2006039172.tif 000010
【図９】
2006039172.tif 000011
【図１０】
2006039172.tif 000012
【図１１】
2006039172.tif 000013
【図１２】
2006039172.tif 000014
【図１３】
2006039172.tif 000015
【図１４】
2006039172.tif 000016
【図１５】
2006039172.tif 000017
【図１６】
2006039172.tif 000018
【図１７】
2006039172.tif 000019
【図１８】
2006039172.tif 000020
【図１９】
2006039172.tif 000021
【図２０】
2006039172.tif 000022
【図２１】
2006039172.tif 000023
【図２２】
2006039172.tif 000024
【図２３】
2006039172.tif 000025
【図２４】
2006039172.tif 000026
【図２５】
2006039172.tif 000027
【図２６】
2006039172.tif 000028
【図２７】
2006039172.tif 000029
【図２８】
2006039172.tif 000030